(57)【要約】【課題】組み付けや加工の誤差によるビーム径の変化を防いでビームピッチ偏差を抑えることができる構成を備えた光源装置を提供する。【解決手段】光源１０１と、該光源１０１保持する光源保持部材１０２と、光源から発する光ビームを略平行にするカップリングレンズ１０５とを有し、カップリングの支持部にはカップリングレンズの設置面１０４ａが設けられ、該設置面１０４ａには、光軸方向に沿って形成された接着剤充填溝１０４ｂが設けられ、接着剤充填溝１０４ｂにはカップリングレンズ１０５の外周に沿って盛り上がることができる量の接着剤Ｇが充填され、接着剤Ｇの固化時にカップリングレンズの外周が設置面１０４ａに押し付けられた状態で固定されることを特徴とする。【選択図】図７
2009210632.tif 000002
【特許請求の範囲】
【請求項１】
光源と、
該光源を保持する光源保持部材と、
光源から発する光ビームを略平行にするカップリングレンズとを有する光源装置において、
前記光源保持部材と、前記カップリングレンズとを一体的に支持する部材を有し、
前記カップリンレンズの支持部は、
光源と光軸を一致させた状態で該光軸に沿ってカップリングレンズを摺動させることができる設置面を備え、該設置面における前記カップリングレンズの外周面が当接する部分には、前記光軸に沿った接着剤充填溝が設けられ、
前記接着剤充填溝には、該接着剤充填溝から前記カップリングレンズの一部に向け盛り上がることができる量の接着剤が充填され、前記設置面に載置されるカップリングレンズにおける設置面上部でカップリングレンズが接着剤に接触した状態で固定されていることを特徴とする光源装置。
【請求項２】
請求項１に記載の光源装置において、
前記カップリングレンズの支持部には、
光ビームを形成するアパーチャの支持部が一体的に設けられていることを特徴とする光源装置
【請求項３】
請求項１に記載の光源装置において、
前記光源として、複数の光ビームを射出するマルチビーム光源装置を用いたことを特徴とする光源装置。
【請求項４】
請求項１に記載の光源装置において、
前記光ビームを主走査方向（感光体の回転軸方向）に偏向する偏向器に対して、前記光源から発する光ビームが、副走査方向（感光体の回転方向）に、ある所定角度傾いた光線を入射させることを特徴とする光源装置
【請求項５】
請求項１乃至４のいずれかに記載の光源装置を用いることを特徴とする光走査装置。
【請求項６】
請求項５記載の光走査装置を用いる画像形成装置であって、
異なる色の画像形成が可能な複数の作像部が転写手段として用いられるベルトの展張方向に沿って並置されているタンデム方式が用いられることを特徴とする画像形成装置。
【発明の詳細な説明】
【技術分野】
【０００１】
本発明は、光源装置、光走査装置および画像形成装置に関し、さらに詳しくは、光源部に用いられる光学素子の支持構造に関する。
【背景技術】
【０００２】
周知のように、プリンタや複写機あるいはファクシミリ装置や印刷機等の画像形成装置においては、像担持体に像を書き込む像書込装置として光走査装置が用いられており、光走査装置には光源装置が装備されている。  
この光源装置は、半導体レーザー等の光源、及び光源から発せられた光を所定の平行光又は収束光又は発散光としてカップリングするカップリングレンズとを備えて構成されている。
【０００３】
光源装置の光学特性としては、光源より射出されるレーザー光の方向性（光軸特性）と光束の平行／収束／発散性（カップリング特性）とが要求される。このため、発光点とカップリングレンズとの相対位置は３軸（ｘ軸、ｙ軸、ｚ軸）方向に対して、初期調整時及び経時・環境変動時においてミクロンからサブミクロンといった非常に高い精度を保つことが必要となる。
【０００４】
一方、光源装置を備えた光走査装置を用いる画像形成装置には、異なる色毎の画像を形成可能な作像ステーションをこれら各作像部からの画像を転写される転写体である転写ベルトの展張方向に沿って並置したタンデム方式が知られている。
【０００５】
タンデム方式の画像形成装置において光走査装置を用いる場合には、光源側からの光ビームを光偏向器により偏向させ、ｆθレンズ等の走査結像光学系により被走査面に向けて集光して被走査面上に光スポットを形成し、この光スポットで被走査面を光走査(主走査)するように構成されている。
【０００６】
タンデム方式を用いた画像形成装置における光走査装置では、複数の作像部に備えられている感光体に対して単一の光偏光器を共用して構成の複雑化や部品点数の増加を防止する構成が多用されている。  
単一の光偏光器を用いる具体的な構成としては、例えば、(１)略平行でかつ副走査方向に離れた複数の光束を偏向器に入射し、複数の光束に対応する複数の走査光学素子を副走査方向に並べて走査する構成（例えば、特許文献１）、(２)偏向器の片側より光束（光ビーム）を入射し、３枚構造の走査光学系により、各光ビームのうちで光ビームＬ１、Ｌ２は異なる被走査面に向かう複数の光束が通過し、光ビームＬ３の光路は各被走査面毎に設けられている構成（例えば、特許文献２〜４）。
【０００７】
このように単一の光偏光器を用いる構成とすることにより、各作像部に光偏光器を設けた場合と違って、画像形成装置を小型化することが可能となる。
【０００８】
しかし、各作像部に設けられている感光体に向かう光ビームを略平行に並べて光偏光器に入射させる場合には、それら各光ビームの入射面サイズが必要となり、光偏光器の大型化を招く虞がある。光偏光器として用いられるポリゴンミラーは、動作時での偏心量などの機械的な誤差を小さくするという要求からコストが高いものであり、光学装置、ひいては画像形成装置の低コスト化および小型化に支障を来す場合がある。
【０００９】
ところで、近年では、カラー画像形成装置の光走査装置において、単一の光偏向器として低コスト化を図る手段として、光偏向器の偏向反射面に副走査方向に角度を持たせて光ビームを入射させる斜入射光学系が知られている（例えば、特許文献５）。
【００１０】
特許文献５に開示されている前記斜入射光学系は、複数の光ビームがそれぞれ偏向反射面で偏向反射された後に、各々対応する被走査面（感光体）に、折返しミラーなどで分離され導かれるようになっている。この時、それぞれの光ビームの副走査方向の角度（光偏向器に斜入射する角度）は、前記ミラーで各光束が分離可能な角度に設定されている。
【００１１】
このような構成の斜入射光学系を用いることで、ミラーで各光束が分離可能な副走査方向の隣接する光ビームの間隔を、光偏光器の大型化（副走査方向へのポリゴンミラーの多段化、厚肉化）をなくすことが可能となる。
【００１２】
しかし、この構成においては、
斜め入射方式には「走査線曲がり」が大きいという問題がある。  
この走査線曲がり発生量は、前記各光ビームの副走査方向の斜入射角により異なり、各々の光ビームで描かれた潜像を各色のトナーにより重ね合わせ可視化した際に、色ずれとなって現れてしまう。また、斜入射することにより、光束が走査レンズにねじれて入射することで、波面収差も増大し、特に周辺の像高で光学性能が著しく劣化し、ビームスポット径が太ってしまい、高画質化を妨げる要因となる。
【００１３】
そこで、斜め入射方式に固有の「大きな走査線曲がり」を補正する方法として、走査結像光学系に「副走査断面内におけるレンズ面の固有傾きを、走査線曲がりを補正するように主走査方向へ変化させたレンズ面を有するレンズ」を含める方法（例えば、特許文献６）、走査結像光学系に「副走査断面内における反射面の固有傾きを、走査線曲がりを補正するように主走査方向へ変化させた反射面を有する補正反射面」を含める方法（例えば、特許文献７）、等が提案されている。
【００１４】
さらに、斜入射される光束を走査レンズの軸外を通し、走査レンズの子線の非球面量を主走査方向に沿って変化させる面を用いて走査線の位置を揃える方法等も提案されている（例えば、特許文献８）。
【００１５】
特許文献８においては、１枚の走査レンズにて補正を行う例が挙げられており、前記走査線曲がりの補正を可能にしている。
【００１６】
特許文献８においては、１枚の走査レンズによる補正により走査線曲がりを補正することに効果があるものの、波面収差増大によるビームスポット径の劣化という不具合に関しては解消できない。
【００１７】
そこで、斜め入射方式での問題点である走査線曲がりと波面収差の劣化とを良好に補正するための構成として、例えば特許文献９に開示された方法がある。  
この方法は、走査血像光学系に複数の回転非対称レンズを含ませ、これら回転非対称レンズのレンズ面の子線頂点と結ぶ母線形状を副走査方向に湾曲させるようになっている。
【００１８】
【特許文献１】特開平９−５４２６３号公報
【特許文献２】特開２００１−４９４８公報
【特許文献３】特開２００１−１０１０７公報
【特許文献４】特開２００１−３３７２０公報
【特許文献５】特開２００３−５１１４号公報
【特許文献６】特開平１１−３８３４８号公報
【特許文献７】特開２００４−７０１０９号公報
【特許文献８】特開平１０−７３７７８号公報
【特許文献９】特開平１０−７３７８８号公報
【発明の開示】
【発明が解決しようとする課題】
【００１９】
特許文献９に開示されている方法においては、走査線曲がりと波面収差の劣化とを同時に補正することができるが、この方法はあくまでも設計値での補正方法に着眼したものであり、光学素子の組み付け誤差や加工誤差による斜入射角が変化した場合に上記特許文献９に開示されている方法による設計時での補正された走査線曲がりや波面収差が光学素子実装時に変化してしまい、画像品質を低下させるのが現状である。
【００２０】
さらに、別の課題として、組み付け誤差、加工誤差の影響で斜入射角度が変化した場合、走査レンズ、折返しミラーなどの光学素子により光ビームがケラレてしまい、ビームスポット径の劣化や被走査面に光ビームが到達しないという問題が発生するということがある。
【００２１】
各光学素子を精度よく加工し、組み付けることで課題低減できるが、部品の大幅なコストアップや、組み付けの難易度が上がることで、組み付け時間が増大し現実的ではない。
【００２２】
斜入射光学系においては、偏向反射面へ斜入射させる角度が増大すると、諸収差が劣化し光学性能が劣化する。具体的には波面収差の劣化によるビームスポット径の劣化、走査線曲がりの増大などが原因として挙げられる。
【００２３】
光学性能面、及び、光走査装置の小型化の観点からも、斜入射角をできるだけ小さく設定することが望ましい。
【００２４】
しかしながら、斜入射角を小さくすると、各々対応する被走査面に各光ビームを分離するのが困難になる。
【００２５】
これは、斜入射角を小さく設定しつつ、異なる被走査面へ向かう光ビームを分離可能にするため、前記分離位置での光ビームの副走査方向の間隔は極力狭く設定される。この時、斜入射角が変化し、光ビームが副走査方向に変化すると、光学素子に光ビームの一部がケラレ、ビームスポット径が太ってしまい、ケラレない場合、もしくは、ケラレ量によりビームスポット径が変動するため、安定したビームスポット径を得ることができない。
【００２６】
このように、組み付け誤差や加工誤差の影響により射入射角度が変化するのを防止するために、全ての部品の組み付け後において調整しようとした場合には、調整時間の増加などによって下降時間の長大化や煩雑化という新たな問題が生じる。
【００２７】
本発明は、上記従来の光走査装置に用いられる光源装置における問題に鑑み、第１の目的として、組み付けや加工の誤差によるビーム径の変化を防いでビームピッチ偏差を抑えることができる構成を備えた光源装置を提供することにある。
【００２８】
第２の目的は、ビーム径の変化などによる画像品質の悪化を防止することができ、これを構造の大型化を招くことなく実現することができる構成を備えた光走査装置を提供することにある。
【００２９】
第３の目的は、コスト上昇を招くことなく画像品質を良好で安定した状態を維持できる光走査装置を備えた画像形成装置を提供することにある。
【課題を解決するための手段】
【００３０】
この目的を達成するため、本発明は次の構成よりなる。  
（１）光源と、
該光源を保持する光源保持部材と、
光源から発する光ビームを略平行にするカップリングレンズとを有する光源装置において、
前記光源保持部材と、前記カップリングレンズとを一体的に支持する部材を有し、
前記カップリンレンズの支持部は、
光源と光軸を一致させた状態で該光軸に沿ってカップリングレンズを摺動させることができる設置面を備え、該設置面における前記カップリングレンズの外周面が当接する部分には、前記光軸に沿った接着剤充填溝が設けられ、
前記接着剤充填溝には、該接着剤充填溝から前記カップリングレンズの一部に向け盛り上がることができる量の接着剤が充填され、前記設置面に載置されるカップリングレンズにおける設置面上部でカップリングレンズが接着剤に接触した状態で固定されていることを特徴とする光走査装置。
【００３１】
（２）前記カップリングレンズの支持部には、
光ビームを形成するアパーチャーの支持部が一体的に設けられていることを特徴とする（１）に記載の光走査装置。
【００３２】
（３）前記光源として、複数の光ビームを射出するマルチビーム光源装置を用いたことを特徴とする（１）に記載の光走査装置。
【００３３】
（４）前記光ビームを主走査方向（感光体の回転軸方向）に偏向する偏向器に対して、
前記光源から発する光ビームが、
副走査方向（感光体の回転方向）に、ある所定角度傾いた光線を入射させることを特徴とする（１）に記載の光走査装置
（５）（１）乃至（４）のいずれかに記載の光源装置を用いることを特徴とする光走査装置。
【００３４】
（６）（５）に記載の光走査装置を用いる画像形成装置であって、
異なる色の画像形成が可能な複数の作像部が転写手段として用いられるベルトの展張方向に沿って並置されているタンデム方式が用いられることを特徴とする画像形成装置。
【発明の効果】
【００３５】
請求項１および２記載の発明によれば、カップリングレンズの接着部分に、設置面に沿った接着溝を設けることにより、カップリングレンズが、接着剤の膨張及び収縮による影響を受けずに設置面に固定されるため、ビーム径の劣化の発生が抑えられ、良好な画像を得ることが可能となる。
【００３６】
また、例えば複数の光源を備えたマルチビーム等を用いる場合、同じく接着材の膨張及び収縮の影響を受けないことから、ビームピッチ変動やピッチ間偏差が抑えられる。
【００３７】
さらに、アパーチャーを一体型にすることにより、アパーチャーを含めたカップリングレンズ調整及び固定が可能となるため、本体による調整箇所の軽減及び調整時間の縮小が可能となる。
【００３８】
また、光源装置としてのサービスパーツ可が容易となり、組み換え前後の画像品質の差を軽減することが可能となる。
【００３９】
請求項３記載の発明によれば、光源を、例えば、複数の発光点を有する半導体レーザーアレイや、単数の発光点もしくは複数の発光点を有する光源を複数用いたマルチビーム光源を用いた光走査装置とし、複数の光ビームを感光体表面に同時に走査するように構成することにより、高速化、高密度化を図った光走査装置および画像形成装置を構成することが可能となる。特に、マルチビーム光源として、たとえば２ch（チャンネル）のレーザー発光源を使用する場合、各発光点からの光束が照射され、振動ミラーへと入射されることになるので、振動ミラー上に照射される左右の光束位置を調整できることで振動ミラーの物理的な大きさの制限による発生する光束のケラレ現象を抑制することが可能となる。
【００４０】
請求項４記載の発明によれば、副走査方向に所定角度傾けた光線を光偏向器に入射させることにより、光路が３次元的に変化する軌跡を通過させることができるので、かつ、折り返しミラー等の部材を少なくすることが可能となる。
【００４１】
これにより、走査光学系に対応する書込ユニットに用いる部品点数の削減が見込め、また、物理的な大きさを抑えることが可能となる。
【００４２】
さらに、斜入射光学系では、副走査方向にある所定角度傾けた光線を光偏向器に入射させることから、光偏向器の副走査方向の姿勢の影響が、光偏向後の結像光学系の性能、主に走査線曲がりに大きく影響を及ぼす場合でも、振動ミラーの姿勢を調整する機構を設けることにより、斜入射角度の最適化が臨め、走査光学系における画像品質の劣化が軽減される。この結果、ビーム径の劣化を防止することができる。
【００４３】
請求項５および６記載の発明によれば、従来のポリゴンスキャナと比較し、振動ミラーを用いた場合、発熱量が少なく、また装置稼動時における騒音も軽減される。しかも、振動ミラー自身での発熱量が少ないことから、光走査装置における発熱量が軽減され、各部材による熱膨張が抑えられ、光走査装置内の発熱による画像品質の劣化が軽減される。本発明において光学特性による画像品質においては、振動ミラーに対応した走査光学系を用いることにより、従来のポリゴンスキャナ使用の光走査装置と同等以上の書込特性を得ることが可能となり、
しかも、振動ミラーの姿勢を調整を容易とする機構を設けることにより、短時間で高精度な画像品質を得る組付けが可能となる。
【発明を実施するための最良の形態】
【００４４】
以下、図面により本発明を実施するための最良の形態について説明する。
【００４５】
図１は、本発明による光走査装置が適用される画像形成装置を示す図である。
【００４６】
図１に示す画像形成装置１００は、異なる色の画像形成が可能な作像部をこれら作像部からの画像転写あるいは転写紙搬送紙ながら転写紙上に転写させる手段に用いられる転写ベルトの展頂面に沿って並置したタンデム方式が用いられる。
【００４７】
以下に作用とともに構成について説明する。  
装置内の下部側には水平方向に配設された給紙カセット１３から給紙される転写紙（図示せず）を搬送する搬送ベルト１７が設けられている。
【００４８】
この搬送ベルト１７上にはイエローＹ用の感光体７Ｙ，マゼンタＭ用の感光体７Ｍ，シアンＣ用の感光体７Ｃ及びブラックＫ用の感光体７Ｋが、転写紙の搬送方向上流側から順に等間隔で配設されている。なお、以下、符号に対する添字Ｙ，Ｍ，Ｃ，Ｋを適宜付けて区別するものとする。
【００４９】
これらの感光体７Ｙ，７Ｍ，７Ｃ，７Ｋは全て同一径に形成されたもので、その周囲には、電子写真プロセスに従って各画像形成プロセスを実行するプロセス部材が順に配設されている。
【００５０】
感光体７Ｙを例に採れば、帯電チャージャ８Ｙ、光走査装置９に装備されている光走査光学系６Ｙ、現像装置１０Ｙ、転写チャージ１１Ｙ、クリーニング装置１２Ｙ等が感光体の移動方向に沿って順に配設されている。他の感光体７Ｍ，７Ｃ，７Ｋに対しても同様である。
【００５１】
本実施形態では、感光体７Ｙ，７Ｍ，７Ｃ，７Ｋの表面を各色毎に設定された被走査面あるいは被照射面とするものであり、各々の感光体に対して光走査光学系６Ｙ，６Ｍ，６Ｃ，６Ｋが１対１の対応関係で設けられている。但し、走査レンズＬ１は、Ｍ，Ｙで共通使用し、また、Ｋ，Ｃで共通使用している。
【００５２】
また、搬送ベルト１７の周囲には、感光体７Ｙよりも上流側に位置させてレジストローラ１６と、ベルト帯電チャージャ２０が設けられ、感光体７Ｋよりもベルト１７の回転方向下流側に位置させてベルト分離チャージャ２１、除電チャージャ２２、クリーニング装置２３等が順に設けられている。
【００５３】
ベルト分離チャージャ１１よりも転写紙搬送方向下流側には定着装置２４が設けられ、排紙トレイ２５に向けて排紙ローラ２６で結ばれている。
このような概略構成において、例えば、フルカラーモード（複数色モード）時であれば、各感光体７Ｙ，７Ｍ，７Ｃ，７Ｋに対してＹ，Ｍ，Ｃ，Ｋ用の各色の画像信号に基づき各々の光走査装置６Ｙ，６Ｍ，６Ｃ，６Ｋによる光ビームの光走査で、各感光体表面に、各色信号に対応した静電潜像が形成される。
【００５４】
これらの静電潜像は各々の対応する現像装置で色トナーにより現像されてトナー像となり、搬送ベルト１７上に静電的に吸着されて搬送される転写紙上に順次転写されることにより重ね合わせられ、転写紙上にフルカラー画像が形成される。
【００５５】
このようにして転写紙上に重畳転写されたフルカラー像は定着装置２４で定着された後、排紙ローラ２６により排紙トレイ２５に排紙される。
【００５６】
次に本発明による光走査装置に関する構成について説明する。  
図２は、本発明による光走査装置に用いられる光源装置の構成を示す図であり、同図において光源装置は、光源となるレーザー光源１０１を取り付ける光源保持部材１０２と、カップリングレンズ保持部材１０３とを主要部として備えている。
【００５７】
光源保持部材１０２は、図３に示すように、単一のレーザー光源用として中心部に径精査荒れた取り付け穴にレーザー光源１０１が圧入されて保持されるようになっている。
【００５８】
カップリングレンズ保持部材１０３は、光源保持部材１０３を締結保持する部材であるとともに、光源保持部材１０３と反対側に突出してカップリングレンズの外周形状に倣った凹状部で形成された設置面１０４ａを備えている。
【００５９】
設置面１０４ａには、カップリングレンズ１０５の外周面の一部が搭載される。
【００６０】
設置面１０４aには、光軸に沿った接着剤充填溝１０４ｂが設けられている。接着剤充填溝１０４ｂは、設置面１０４ａおいてカップリングレンズ１０５の外周方向に沿って複数設けられ、内部に接着剤が充填されるようになっている。
【００６１】
接着剤は、接着剤充填溝１０４ａに充填されるが、その充填量は、カップリングレンズ１０５の設置面上部に盛り上がる状態が得られ量に設定されている。
【００６２】
図３には、図１に示したカップリングレンズ保持部材１０３の裏側が示されており、光源保持部材１０２に、レーザー光源１０１が圧入された装填状態が示されている。
【００６３】
一方、カップリングレンズ保持部材１０３には、その先端に、アパーチャー部材（図ではアパーチャーと表記している）１０６が一体的に設けられている。  
アパーチャー部材１０６には、光源１０１およびカップリングレンズ１０５と同軸線上にスリットからなる光ビーム出射口が形成されている。
【００６４】
図４は、図１に示した符号（４）で示す方向の図面であり、カップリングレンズ１０５は、カップリングレンズ保持部材１０３の設置面１０４ａに搭載され、設置面１０４ａに形成されている接着剤充填溝１０４ｂ以外の面に当接して、載置されている。
【００６５】
図５および６は、光源装置の分解斜視図であり、カップリングレンズ保持部材１０３に設けられている設置面１０４ｂの先端には、アパーチャー部材１０６がネジ止めされ、カップリングレンズ保持部材１０３の設置面１０４ｂと反対側には、光源１０１を有する光源保持部材１０２が一体化されている。
【００６６】
図７は、充填溝１０４ｂに充填された接着剤Ｇとカップリングレンズ１０５との接着状態を示す模式図であり、充填溝１０４ｂに充填されて接着剤Ｇが、膨張および収縮する場合を状態を示している。
【００６７】
接着剤Ｇは、固まる際に膨張または収縮する現象が発生する。  
図７（Ａ）は、接着剤Ｇが膨張する場合を示しており、膨張する場合には、充填溝１０４ｂ内で膨張により流動する一方、カップリングレンズ１０５の外周部に盛り上がっている部分では、矢印Ｆで示すように硬化する際の力がリングレンズ１０５を設置面１０４ｂに押しつける方向に作用する。
【００６８】
一方、図７（Ｂ）は接着剤Ｇが収縮する場合を示しており、収縮する場合には、充填溝１０４ｂ内で収縮により流動するとともにカップリングレンズ１０５の外周部に盛り上がっている部分でも収縮し、カップリングレンズ１０５を矢印Ｆで示すように、設置面１０４ｂに向け押しつける。
【００６９】
以上のような接着剤Ｇの固まり時における作用によって、カップリングレンズ１０５は、設置面１０４ｂに向け強固に固定されることなる。従って、カップリングレンズ１０５の不用意な位置変動が防止され、カップリングレンズ１０５の位置変動が原因するビーム径の劣化、あるいはビーム位置変動防止することができる。これにより良好な印字品質を保つことが可能となる。
【００７０】
次に斜入射光学系について説明する。
【００７１】
図８は、光源から被走査面に至る光学配置を主走査対応方向から見た状態を示している。  
図８において、半導体レーザーである光源１０１からの発散性の光束はカップリングレンズ１０２により以後の光学系にカップリングされる。カップリング後の光束は、平行光束となることもできるし、弱い発散性もしくは弱い集束性の光束となってもよい。カップリングされた光束は、次いでアパーチュア１０３を通過することにより光束周辺部部を遮光により除去され、所謂、ビーム整形される。
【００７２】
ビーム整形された光束は、副走査対応方向（図８を示す紙面内で、光源１０１からの光束の主光線に直交する方向）にのみ正のパワーを持つシリンダレンズ１０４を透過し、同レンズ１０４の作用により副走査対応方向に集光しつつ、光源側からの光束として、回転多面鏡である光偏向器１０５の偏向反射面に入射し、偏向反射面の近傍に主走査対応方向（図面に直交する方向）に長い線像として結像する。
【００７３】
偏向反射面により反射された光束はｆθレンズ１０６およびトロイダルレンズ１０５等の走査結像光学系に入射し、走査結像光学系の作用により被走査面１１４上に光スポットとして集光する。反射光束は、光偏向器１０５の等速回転に伴い等角速度的に偏向し、光スポットは被走査面１１４（実際にはこの位置に配備される光導電性の感光体の感光面）を光走査する。
【００７４】
図９は、光偏向器１０５の支点軸１１２に対して副走査方向に所定角度（図中、傾かない場合の副走査方向での出射方向１１１に対する角度α）だけ傾いた光束が入射するように、光源１０１と、カップリングレンズ１０２と、アパーチャー１０３と、第１レンズ１０４とが、光偏光面に対する斜入射平面に沿って配置される構成となることを示している。また、２つ以上の光源を有し、それぞれが異なる角度により光偏向器１０５へ入射する場合、図１０に示すように、光偏向器１０５により偏向される各光束が、光偏向器への入射角度と同じ角度を有し、それぞれの光束が、対応する各結像光学系１０６を経て、感光体１１４へと結像される。
【００７５】
以上のような斜入射光学系の構成をとることにより、光走査装置全体の物理的な大きさを抑えることが可能となり、かつ、折り返しミラー等の部材の使用数を軽減することが可能となる。
【００７６】
次に、光源を複数設けてマルチビームを用いる場合について説明する。  
本発明に係る光走査装置において、例えば、複数の発光点を有する半導体レーザーアレイや、単数の発光点もしくは複数の発光点を有する光源を複数用いたマルチビーム光源装置とし、複数の光ビームを感光体表面に同時に走査するように構成することにより、高速化、高密度化を図った光走査装置および画像形成装置を構成することができ、かかる光走査装置および画像形成装置を構成した場合も、これまで説明してきた効果と同様の効果を得ることができる。
【００７７】
図１１および図１２は、マルチビーム光源装置を構成する光源ユニットの例を示しており、これら各図は、互いに逆方向から見た状態を示している。  
図１１，１２において、発光源として用いられる半導体レーザー２０１、２０２は、ベース部材２０３、２０４に形成した嵌合孔２０３ａ、２０４ａに個別に嵌合されている。  
各ベース部材２０３、２０４は、コリメートレンズ保持部材２０５にネジ２１０、ナット２１１により締結される。
【００７８】
コリメートレンズ保持部材２０５の裏側に形成されるベース部材２０３，２０４の取り付け面２０５ｄ、２０５ｅは、主走査方向に所定角度のひらき角を持たせて、実施例では約１°程度に傾斜させてあり、各ベース部材２０３、２０４がそれぞれ、取り付け面２０５ｄ、２０５ｅの傾きに沿って締結されることにより、半導体レーザー２０１、２０２も主走査方向へ約１°傾斜することになる。
【００７９】
半導体レーザー２０１、２０２は、その円筒状ヒートシンク部２０１ａ、２０２ａに切り欠きが形成されていて、ベース部材２０３、２０４に形成される切り欠き２０３ｂ、２０４ｂに一致させることにより、発光源の配列方向が合わせられている。
【００８０】
また、コリメートレンズ２０６，２０７は、それぞれその外周をコリメートレンズ保持部材２０５に形成されている設置面となる取り付けガイド面２０５ａ、２０５ｂにおいて光軸方向での位置調整を行われて固定されるが、この場合の取り付けガイド面２０５ａ、２０５ｂには、前述した場合と同様に、接着剤充填溝が設けられてコリメートレンズ２０６，２０７が固定できるようになっている。
【００８１】
コリメートレンズ２０６、２０７は各々その外周をコリメートレンズ保持部材２０５の溝状の取り付けガイド面２０５ａ，２０５ｂに沿わせて光軸方向の調整を行い、発光点から射出した発散ビームが平行光束となるよう位置決めされ接着されている。
【００８２】
ベース部材２０３，２０４が一体化されているコリメートレンズ保持部材２０５は、光源装置基台２０８に形成されている挿通部２０８ａにガイド面２０５ａ、２０５ｂを挿通することにより光源装置として組み立てられる。図１０，１１に示す構成では、スリット２０９Ａ、２０９ｂを備えたアパーチャー部材２０９がコリメートレンズ保持部材２０５のガイド面２０５ａ、２０５ｂに対して位置決めされた状態で光源装置基台２０８に一体化されるが、挿通されたガイド面２０５ａ、２０５ｂの先端に一体化すること勿論可能である。
【００８３】
複数のベース部材２０３，２０４を光源保持部材に光源として副走査方向に配列して保持することで、本発明の形態の光源装置において、光源を複数の発光点を有するマルチビーム光源装置とすることが可能となる。このとき、ベース部材２０３，２０４の各半導体レーザーを副走査方向に角度を持つように形成しても良いし、各ベース部材２０３，２０４を副走査方向に角度を持つようにコリメートレンズ保持部材２０５に保持させても良い。半導体レーザーに代えて、ベース部材２０３，２０４とコリメートレンズ保持部材２０５との間で角度を持たせて取り付けるようにして、副走査方向の角度を調整する機構を設けても構わない。
【００８４】
図１１，１２に示した構成において用いた半導体レーザーは、複数の発光点を持つ半導体レーザーアレイを用いても構わない。また、半導体レーザーアレイを複数持たず、単独でマルチビームを構成しても良いことはいうまでもない。
【図面の簡単な説明】
【００８５】
【図１】本発明による光源装置を用いた光走査装置が適用される画像形成装置の構成を示す模式図である。
【図２】本発明による光源装置の光出射側から見た斜視図である。
【図３】図２に示した方向の裏側から見た光源装置の斜視図である。
【図４】図２中、符号（４）で示す方向から見た状態の図である。
【図５】図２に示した光源装置の構成部品の分解斜視図である。
【図６】図５に示した光源装置の反対側を示す分解斜視図である。
【図７】本発明による光源装置の要部構成における作用を説明するための模式図である。
【図８】光源から被走査面に至る光学配置を主走査対応方向から見た状態を示す図である。
【図９】本発明による光源装置が適用される射入射光学系を説明するための図である。
【図１０】図９に示した射入射光学系を用いた光走査光学系を示す模式図である。
【図１１】発光源を複数設けたマルチビーム光源装置の構成を示す斜視図である。
【図１２】図１１の反対側から見た斜視図である。
【符号の説明】
【００８６】
６  光走査光学系
７  感光体
８  帯電チャージャ
９  光走査装置
１０  現像装置
１１  転写チャージャ
１２  クリーニング装置
１７  ベルト
１００  画像形成装置
１０１  光源
１０２  光源保持部材
１０３  カップリングレンズ保持部材
１０４ａ，１０４ｂ  設置面
１０５  カップリングレンズ
１０６  アパーチャー
【図１】
2009210632.tif 000003
【図２】
2009210632.tif 000004
【図３】
2009210632.tif 000005
【図４】
2009210632.tif 000006
【図５】
2009210632.tif 000007
【図６】
2009210632.tif 000008
【図７】
2009210632.tif 000009
【図８】
2009210632.tif 000010
【図９】
2009210632.tif 000011
【図１０】
2009210632.tif 000012
【図１１】
2009210632.tif 000013
【図１２】
2009210632.tif 000014